(57)【特許請求の範囲】
【請求項１】
基準温度より高い温度の場合に第１の温度係数を備えるとともに前記基準温度より低い温度の場合に前記第１の温度係数と異なる第２の温度係数を備えている被温度検出機器の温度変化を検出して、この温度変化に対応した電圧を出力する温度検出制御回路において、
ＤＣ電圧源に接続された検出用ダイオードと、前記検出用ダイオードの両端に入力端が接続されたブリッジ回路と、前記ブリッジ回路の一対の出力端に夫々入力端が接続された検出用演算増幅器と、前記検出用演算増幅器の入力端の一端に接続され、前記基準温度を規定する基準電圧を設定するための第１の可変電圧源により構成される前記温度検出手段と、前記第１の温度係数を補償する第１の温度係数調整手段と、前記第２の温度係数を補償する第２の温度係数調整手段とを有することを特徴とする温度検出制御回路。
【請求項２】
前記温度検出手段はさらに、前記基準温度よりも高い温度の場合と低い温度の場合とで互いに異なる極性の電圧を出力し、前記第１の温度係数調整手段及び前記第２の温度係数調整手段は、前記温度検出手段からの電圧の極性を夫々弁別するように、前記温度検出手段に互いに極性が逆向きに並列に接続された第１及び第２の制御用ダイオードを備えてなることを特徴とする、請求項１記載の温度検出制御回路。
【請求項３】
前記第１の温度係数調整手段及び前記第２の温度係数調整手段はさらに、前記第１及び第２の制御用ダイオードの他端に夫々接続された第１及び第２の制御用演算増幅器と、前記第１及び第２の温度係数の検出感度を調節するために前記第１及び第２の制御用演算増幅器に設けられた第１及び第２の検出感度調整用可変抵抗とを備えてなることを特徴とする、請求項１又は請求項２に記載の温度検出制御回路。
【請求項４】
前記第１の温度係数調整手段及び前記第２の温度係数調整手段の出力は、基準調整用の第２の可変電圧源によって前記被温度検出機器への制御用電圧が調整されていることを特徴とする、請求項１から請求項３に記載の温度検出制御回路。
【発明の詳細な説明】
【０００１】
【発明の属する技術分野】
本発明は，衛星通信地球局の周波数変換装置において，温度変動による電気的特性変動の抑制と制御を行う温度検出制御回路に関する。
【０００２】
【従来の技術】
従来，図３に示す温度検出制御回路が提案されている（以下，従来技術１と呼ぶ）。図３において，温度検出制御回路は，ＤＣ電圧源１と，ＤＣ電圧源１の一端に接続された電源用抵抗２と，電源用抵抗２の他端側に夫々一端が接続され，他端同士が接続された検出用ダイオード４及びブリッジ用可変抵抗３と，同様に電源用抵抗２の他端側に一端が接続された第１のブリッジ用抵抗５，第１のブリッジ用抵抗５の他端に一端が接続され検出用ダイオード４及びブリッジ用可変抵抗３の接続された他端に他端が接続された第２のブリッジ用抵抗６と，ダイオード４，可変抵抗３，及び抵抗６の他端に一端が接続され他端が接地された接地用抵抗７と，検出用ダイオード４，検出用オペアンプ８の第１及び第２のブリッジ用抵抗５，６とブリッジ用可変抵抗３の対向する部分に挿入した検出用ダイオード４での温度依存による電圧検出出力を温度検出出力電圧端子９から出力するこの検出用オペアンプ８とを備えている。図３の温度検出制御回路は，次のように動作を行う。
【０００３】
抵抗ブリッジ回路の抵抗２，７と可変抵抗３の対向する部分に挿入したダイオード４のアノ一ドとカソード間の電圧が，温度変動に応じて変動する。その接合電圧は，オペアンプ８の負入力端子に入力されている。常温において，オペアンプ８の正入力端子にオフセット電圧を可変抵抗３を調整することにより，設定しておく。ここで，このオフセット電圧を任意に可変抵抗３によって設定することにより，被温度検出制御を必要とする装置の温度による補償を制御出来る。
【０００４】
ここで，図３の回路での出力電圧対温度特性を図４に示す。図４に示す回路は，抵抗５（Ｒ１），６（Ｒ２），及び可変抵抗３のｒｌ，ｒ２の抵抗比によって，温度係数を調整する。図３において，次の数１乃至数４式が成立するとする。
【０００５】
【数１】
0003570836.tif 000002
【０００６】
【数２】
0003570836.tif 000003
【０００７】
【数３】
0003570836.tif 000004
【０００８】
【数４】
0003570836.tif 000005
つまり，温度が変化し，ＶＦが，ＶＦ＋ΔＶＦになったとすれば，その変動量は，次の数５式で示される。
【０００９】
【数５】
0003570836.tif 000006
したがって，図３の回路より，図４の特性が示される。ここで，ｒ１／ｒ１＋ｒ２＞Ｒ２／Ｒ１＋Ｒ２のとき負の温度係数，ｒ１／ｒ１＋ｒ２＜Ｒ２／Ｒ１＋Ｒ２のとき正の温度係数，ｒ１／ｒ１＋ｒ２＝Ｒ２／Ｒ１＋Ｒ２のとき温度係数が零となることを示す。
【００１０】
従来技術１の温度検出制御回路は，図３の様にダイオード両端の抵抗ブリッジで抵抗比を調整して，図４に示す正，負及び零の各温度係数に変化させる事の出来る温度係数調整の手段を有し，この温度係数の選択結果により制御を必要とする機器の補償に見合った温度係数の温度検出制御をするものとしたが，一度設定した一つの温度係数に対しての補償のみという問題点があった。
【００１１】
一方，特開平２−２３７０４号には，従来技術１の温度検出制御回路の欠点を解決した温度検出制御回路が示されている（以下，従来技術２と呼ぶ）。
【００１２】
従来技術２の温度検出制御回路では，それぞれ低温度範囲時，高温度時範囲時検出用の温度トランスデューサからなる温度検出素子と，外温度検出素子の検出結果に応じてそれぞれ低温度，高温度時とで独立に温度補償を行う構成であり，低温用，高温用の温度トランスデューサを用い，低・高温度範囲を別々に温度検出することで，低温度時及び高温度時の温度補償を独立に設定するとともに，温度特性の変化が直線的でない場合も容易に温度補償を行う温度補償回路である。
【００１３】
【発明が解決しようとする課題】
しかしながら，従来技術２においては，低温度範囲用及び高温度範囲用に温度トランスデューサからなる温度検出素子を別々に設けて独立に温度補償回路を構成して，温度補償を行わなければならないという問題点がある。
【００１４】
さらに，その他の従来技術では，図３の様にダイオード両端の抵抗ブリッジで抵抗比を調整して，図４に示す正，負及び零の各温度係数に変化させる事の出来る温度係数調整の手段を有し，この温度係数の選択結果により制御を必要とする機器の補償に見合った温度係数の温度検出制御をするものとしたが，一度設定した一つの温度係数に対しての補償のみという問題点があった。
【００１５】
そこで，本発明の技術的課題は，上記従来の欠点を除去するために，基準温度（例えば，＋２５゜Ｃ）での温度検出部の検出出力電圧を基準にして，温度上昇，下降時の異なる温度係数に対し別々に温度制御出来る温度検出制御回路を提供することにある。
【００１６】
【課題を解決するための手段】
本発明によれば、基準温度より高い温度の場合に第１の温度係数を備えるとともに前記基準温度より低い温度の場合に前記第１の温度係数と異なる第２の温度係数を備えている被温度検出機器の温度変化を検出して、この温度変化に対応した電圧を出力する温度検出制御回路において、ＤＣ電圧源に接続された検出用ダイオードと、前記検出用ダイオードの両端に入力端が接続されたブリッジ回路と、前記ブリッジ回路の一対の出力端に夫々入力端が接続された検出用演算増幅器と、前記検出用演算増幅器の入力端の一端に接続され、前記基準温度を規定する基準電圧を設定するための第１の可変電圧源により構成される前記温度検出手段と、前記第１の温度係数を補償する第１の温度係数調整手段と、前記第２の温度係数を補償する第２の温度係数調整手段とを有することを特徴とする温度検出制御回路が得られる。
【００１７】
また、本発明の第二構成例によれば、上述の構成に加えて、前記温度検出手段が前記基準温度よりも高い温度の場合と低い温度の場合とで互いに異なる極性の電圧を出力し、前記第１の温度係数調整手段及び前記第２の温度係数調整手段は、前記温度検出手段からの電圧の極性を夫々弁別するように、前記温度検出手段に互いに極性が逆向きに並列に接続された第１及び第２の制御用ダイオードを備えてなることを特徴とする温度検出制御回路が得られる。
【００１８】
また、本発明の第三構成例によれば、上述の構成に加えて、前記第１の温度係数調整手段及び前記第２の温度係数調整手段がさらに、前記第１及び第２の制御用ダイオードの他端に夫々接続された第１及び第２の制御用演算増幅器と、前記第１及び第２の温度係数の検出感度を調節するために前記第１及び第２の制御用演算増幅器に設けられた第１及び第２の検出感度調整用可変抵抗とを備えてなることを特徴とする温度検出制御回路が得られる。
【００１９】
また、本発明の第四構成例によれば、上述の構成に加えて、前記第１の温度係数調整手段及び前記第２の温度係数調整手段の出力は、基準調整用の第２の可変電圧源によって前記被温度検出機器への制御用電圧が調整されていることを特徴とする温度検出制御回路が得られる。
【００２１】
要約すると，本発明では，基準温度（例えば，＋２５℃）での温度検出部の検出出力電圧を基準にして，ダイオードを用いて弁別し，温度上昇，下降時の異なる温度係数に対し，別々に温度制御出来る様にする回路を備えているものである。
【００２２】
【発明の実施の形態】
以下，本発明の実施の形態について図面を参照して説明する。
【００２３】
図１は本発明の実施の形態による温度検出制御回路を示す図である。図１おいて，本発明の実施の形態による温度検出制御回路３０は，温度検出手段を有する。温度検出手段は，ＤＣ電圧源１と，ＤＣ電圧源１の一端に接続された電源用抵抗２と，電源用抵抗２の他端側に夫々一端が接続され，他端同士が接続された検出用ダイオード４及びブリッジ用可変抵抗３と，同様に電源用抵抗２の他端側に一端が接続された第１のブリッジ用抵抗５，第１のブリッジ用抵抗５の他端に一端が接続され検出用ダイオード４及びブリッジ用可変抵抗３の接続された他端に他端が接続された第２のブリッジ用抵抗６と，ダイオード４，可変抵抗３，及び抵抗６の他端に一端が接続され他端が接地された接地用抵抗７と，検出用ダイオード４，検出用オペアンプ８の第１及び第２のブリッジ用抵抗５，６とブリッジ用可変抵抗３の対向する部分に挿入した検出用ダイオード４での温度依存による電圧検出出力を温度検出出力電圧端子９から出力するこの検出用オペアンプ８とを備えている。以上までの温度検出手段は，従来技術による温度検出制御回路と同様である。
【００２４】
本発明の実施の形態による温度検出制御回路３０は，第１の温度係数調整手段と第２の温度係数調整手段とを備えている。第１の温度係数調整手段と第２の温度係数調整手段とは，第１の制御用ダイオード１０及び第２の制御用ダイオード１１が極性が逆の他は同様の構成を有している。
【００２５】
即ち，第１の温度係数調整手段は，温度検出出力電圧端子９に，一端が接続された第１の制御用ダイオード１０と，第１の制御用ダイオード１０の他端に一端が接続された第１の制御用抵抗１２と，第１制御用抵抗１２の他端に接続された第１の制御用オペアンプ１４と，第１の制御用抵抗１２と第１の制御用オペアンプ１４の接続端と第１の制御用オペアンプ１４の出力端に接続された第１の検出感度調整用可変抵抗１６とを備えている。
【００２６】
また，第２の温度係数調整手段は，温度検出出力電圧端子９に第１の制御用ダイオード１０とは極性が逆となるように一端が接続された第２の制御用ダイオード１１と，第２の制御用ダイオード１１の他端に一端が接続された第２の制御用抵抗１３と，第２の制御用抵抗１２の他端に接続された第２の制御用オペアンプ１５と，第２の制御用抵抗１３と第２の制御用オペアンプ１５の接続端と第２の制御用オペアンプ１５の出力端に夫々接続された第２の検出感度調整用可変抵抗１７とを備えている。
【００２７】
また，温度検出制御回路３０は，第１及び第２の制御用オペアンプ１４，１５の出力端同士を接続したものを入力端とする第３の制御用オペアンプ１８と，検出用オペアンプ８及び第３の第３の制御用オペアンプ１８の温度検出出力の検出電圧の基準調整用の第１及び第２の可変電圧源１９，２０と，制御用電圧出力端子２１を備えている。
【００２８】
次に，図１の温度検出制御回路３０の動作について説明する。
【００２９】
常温（例えば，＋２５゜Ｃ）において，オペアンプ９の正入力端子にオフセット電圧を検出用可変抵抗３を調整することにより設定しておく。また，ここで，検出用オペアンプ８の出力端子ノード９において，出力電圧が０［Ｖ］になる様に第１の可変電圧源１９をオフセット調整する。この時の設定値を基準にして，温度が上昇（または，下降）した場合は，出力電圧が＋電圧となり，第１の制御用ダイオード１０側の回路が機能し，この時の温度係数を第１の制御用可変抵抗１６を調整することにより設定する。
【００３０】
また，逆に常温でのノ一ド９の出力電圧設定値を基準に温度が下降（または上昇）する場合は出力電圧が−電圧となり，第２の制御用ダイオード１１側の回路が機能し，この時の温度係数を第２の制御用可変抵抗１５を調整することにより設定する。
【００３１】
これで，温度上昇，下降で異なる温度係数をもつ被温度検出装置に上昇，下降時，別々に一度の設定で温度検出制御が出来る。
【００３２】
図２は，図１の温度検出制御回路３０を使用した場合の出力電圧対温度特性の関係を示す図である。図１のノ一ド９で温度ｔ０時に，基準電圧を０［Ｖ］に設定し，第１の制御用ダイオード１０側の回路（第１の温度係数調整手段）が機能したときにＢの温度係数となる。また，第２のダイオード１１側の回路（第２の温度係数調整手段）が機能したときにはＣの温度係数となる。今ここで，温度ｔ０で温度係数が切替るように設定してあるので，温度補償曲線は図２のＡとなる。
【００３３】
以上の通り，温度上昇時と下降時で異なった温度係数の補償を可能とする。
【００３４】
【発明の効果】
以上説明したように，本発明によれば，通信機器で一周波数帯を他周波数帯に変換する周波数変換装置において，温度変動にて振幅周波数特性が変動するものを抑制制御する機能を有することが出来るため，通信機器や計測機器等に使用することができる温度検出制御回路を提供することができる。
【図面の簡単な説明】
【図１】本発明の実施の形態による温度検出制御回路を示す回路構成図である。
【図２】図１の温度検出制御回路の出力電圧対温度特性の関係を示す動作特性図である。
【図３】従来技術１による温度検出制御回路を示す回路構成図である。
【図４】従来技術１の温度検出制御回路の出力電圧対温度特性の関係を示す動作特性図である。
【符号の説明】
１    ＤＣ電圧源
２    電源用抵抗
３    ブリッジ用可変抵抗
４    検出用ダイオード
５    第１のブリッジ用抵抗
６    第２のブリッジ用抵抗
７    接地用抵抗
８    検出用オペアンプ
９    温度検出出力電圧端子
１０    第１の制御用ダイオード
１１    第２の制御用ダイオード
１２    第１の制御用抵抗
１３    第２の制御用抵抗
１４    第１の制御用オペアンプ
１５    第２の制御用オペアンプ
１６    第１の検出感度調整用可変抵抗
１７    第２の検出感度調整用可変抵抗
１８    第３の制御用オペアンプ
１９    第１の可変電圧源
２０    第２の可変電圧源
３０    温度検出制御回路
【図１】
0003570836.tif 000007
【図２】
0003570836.tif 000008
【図３】
0003570836.tif 000009
【図４】
0003570836.tif 000010